(57)【要約】【課題】オイルを用いたマッサージに用いられる当て布体における問題に鑑み、施術がしやすく、また被施術者への不快感や施術の単調性をなくすことができる構成を備えた身体摩擦用の当て布体を提供する。【解決手段】身体表面または着衣状態で被着し、施術者が素手または薄い布手袋を用いて加圧摺動する身体摩擦用の当て布体であって、前記施術者側と被施術者側とで表面の滑動抵抗を異ならせ、施術者側では素手を開いてまたは薄い布手袋の全面を接触させて滑動させる際の抵抗が被施術者側の表面でのそれよりも小さい関係に設定され、この関係を設定するための構成として繊維材料の設定あるいは布体を構成する繊維の編み状態を変化させることを特徴とする。【選択図】図２
2007125301.tif 000002
【特許請求の範囲】
【請求項１】
身体表面または着衣状態で被着し、施術者が素手または薄い布手袋を用いて加圧摺動する身体摩擦用の当て布体であって、
前記施術者側と被施術者側とで表面の滑動抵抗を異ならせ、施術者側では素手を開いてまたは薄い布手袋の全面を接触させて滑動させる際の抵抗が被施術者側の表面でのそれよりも小さい関係に設定されていることを特徴とする身体摩擦用の当て布体。
【請求項２】
前記施術者側と被施術者側との表面は、それぞれ別体で構成され、これら別体同士が全縁または一部を残して互いに接合された構成であることを特徴とする請求項１記載の身体摩擦用の当て布体。
【請求項３】
前記施術者側および被施術者側に位置する表面は、重畳されたハンカチ状あるいは手拭い状の外形を有する繊維材料で構成されていることを特徴とする請求項１または２記載の身体摩擦用の当て布体。
【請求項４】
前記施術者側の表面には、絹または合成繊維が用いられ、被施術者側の表面には、絹を除く天然素材の繊維が用いられることを特徴とする請求項１乃至３のいずれかに記載の身体摩擦用の当て布体。
【請求項５】
前記施術者側の表面は、マッサージの際に素手あるいは布手袋の滑動方向を長手方向として設定されていることを特徴とする請求項１乃至４のいずれかに記載の身体摩擦用の当て布体。
【発明の詳細な説明】
【技術分野】
【０００１】
本発明は、身体摩擦用の当て布体に関し、さらに詳しくは、マッサージなどの施術時に用いる当て布体に関する。
【背景技術】
【０００２】
身体摩擦用の布体としては、入浴に用いるタオルがよく知られているが、これとは別に、マッサージの際に施術箇所を覆うために用いる当て布がある。
当て布は、施術者の指や手のひらが直接肌などに触れるのを避けて肌との間で滑りを良くするだけでなく施術の際の保温効果を得るために用いられることが多い。
【特許文献１】特になし
【発明の開示】
【発明が解決しようとする課題】
【０００３】
ところで、近年では、単に指や手のひらの押圧あるいは揉みや、さすりという動作だけでなく、例えば揉みや、さすりの際の摩擦抵抗軽減や薬効を得る等の目的で種々の成分を含むオイルを肌に塗った状態でマッサージを行うことがある。
【０００４】
しかし、オイルを塗った施術箇所を直接手により施術しようとすると、オイルによって手が滑りやすく、施術困難となりやすい。
【０００５】
そこで、施術箇所に当て布を置いて施術することが考えられる。
しかし、オイルが塗られている側の表面は滑りやすいのでマッサージの際に当て布自体が施術箇所を滑ってしまうことがある。このため、施術の方法も、さする等の滑りやすいような内容ではなく、押圧や揉みなどのように当て布の位置が変わらないようにする内容を採らざるを得ないこともあり、マッサージの内容が単純なものとなる虞がある。
【０００６】
ちなみに、マッサージには、指圧や手のひらの押圧などのように一点への集中的な圧力を加えるツボ療法の他に、手のひらで軽く押しながらさする等のように面圧を加える療法がある。
【０００７】
後者の場合には、施術範囲を大きくとれることに起因してリンパの流れがよくなり、老廃物の除去や筋肉に溜まる疲労物質の排除などにおいて前者の療法の２〜３倍以上の効果が期待できるとされている。
しかも、指圧などのような一点への集中的な圧力を加えることがないので、筋肉への過剰な負荷による痛み等を生じにくくした施術が行える。
【０００８】
しかし、オイルを塗布したような場合のマッサージに際しては、上述した不具合がある関係で、手のひらなどを軽く抑えながらさするなどの施術が行いにくいのが現状である。
【０００９】
本発明は、上記従来の身体摩擦用、特に、オイルを用いたマッサージに用いられる当て布体における問題に鑑み、施術がしやすく、また被施術者への不快感や施術の単調性をなくすことができる構成を備えた身体摩擦用の当て布を提供することにある。
【課題を解決するための手段】
【００１０】
本発明は以下の構成を備えている。
（１）身体表面または着衣状態で被着し、施術者が素手または薄い布手袋を用いて加圧摺動する身体摩擦用の当て布体であって、前記施術者側と被施術者側とで表面の滑動抵抗を異ならせ、施術者側では素手を開いてまたは薄い布手袋の全面を接触させて滑動させる際の抵抗が被施術者側の表面でのそれよりも小さい関係に設定されていることを特徴とする身体摩擦用の当て布体。
【００１１】
（２）前記施術者側と被施術者側との表面は、それぞれ別体で構成され、これら別体同士が全縁または一部を残して互いに接合された構成であることを特徴とする（１）に記載の身体摩擦用の当て布体。
【００１２】
（３）前記施術者側および被施術者側に位置する表面は、重畳されたハンカチ状あるいは手拭い状の外形を有する繊維材料で構成されていることを特徴とする（１）または（２）に記載の身体摩擦用の当て布体。
【００１３】
（４）前記施術者側の表面には、絹または合成繊維が用いられ、被施術者側の表面には、絹を除く天然素材の繊維が用いられることを特徴とする（１）乃至（３）のいずれかに記載の身体摩擦用の当て布体。
【００１４】
（５）前記施術者側の表面は、マッサージの際に素手あるいは布手袋の滑動方向を長手方向として設定されていることを特徴とする（１）乃至（４）のいずれかに記載の身体摩擦用の当て布体。
【発明の効果】
【００１５】
請求項１記載の発明によれば、施術者側と被施術者側とで表面の滑動抵抗が異なり、特に、施術者側が素手や布手袋を接触させる表面の方が被施術者側よりも滑動抵抗を小さくしているので、施術を行う際に被施術者側から布体が滑ってずれてしまうのを抑制することができる。これにより、施術箇所では施術者による指圧などだけでなく、揉みやさすり等の変化に富んだ施術が可能となる。
【００１６】
請求項２記載の発明によれば、施術者側および被施術者側の表面が別体で構成され、これら別体同士が全縁または一部を残して接合されている。そのため、各表面間の滑動抵抗を独自に組み合わせることができる。これにより、単一部材の表裏各面での滑動抵抗の変化を得るための構成に比べて加工コストを低減することが可能となる。
【００１７】
請求項３乃至５記載の発明によれば、施術者側および被施術者側に位置する表面は繊維材料が用いられ、さらには滑動方向を長手方向とされることにより、例えば、オイルを用いたマッサージなどのような施術の際に施術者の手の滑りを良くすると共に被施術者側では滑りにくいことで施術箇所との間での不用意な位置ずれをなくして快適な施術を可能にすることができる。
【発明を実施するための最良の形態】
【００１８】
以下、図面に示す実施例により本発明を実施するための最良の形態について説明する。
【実施例】
【００１９】
図１は、本実施例による当て布体１の構成を説明するための模式図であり、同図において当て布体１は、互いに縫合などによって接合された別体の繊維材料２，３で構成されており、各繊維材料２，３の接合面と反対側の面が施術者側に対向する表面２Ａ、および被施術者側に対向する表面３Ａとされている。
【００２０】
繊維材料２，３は、別体で構成されていることを利用して、上述した表面での滑動抵抗が異ならせてあり、本実施例では、施術者側の素手や手袋などが接触する側の表面２Ａの滑動抵抗が被施術者側の施術箇所に接触する側の表面３Ａでの滑動抵抗よりも小さくなる関係を設定されて、ハンカチ状あるいは手拭い状の外形、つまり長手方向とこれに直角な短手方向とを有する矩形形状に形成されている。
【００２１】
このような滑動抵抗の関係を設定するための構成としては、繊維材料２，３の材質を異ならせてある。
つまり、施術者側に対面する繊維材料２は、天然繊維である絹に加えて、ポリエステル、アクリルおよびアクリル系、ナイロン、アラミド、ビニロン、ポリプロピレン、ポリエチレン、ポリ塩化ビニル、ビニリデン、ポリウレタン、ポリアリレート系繊維、エチレンビニル、アルコール繊維、アクリレート系繊維、ｐｂｏ繊維、ポリ乳酸繊維、レーヨン、キュプラ、アセテート、トリアセテート、ガラス繊維、炭素繊維等緒合成繊維等が用いられ、また、被施術者側に対面する繊維材料３は、綿、麻、黄麻、マニラ麻、パーム、羊毛、紙等の天然繊維が用いられる。
【００２２】
上述した繊維材料同士の材質の違いによって、施術者側に対面する表面２Ａと被施術者側に対面する表面３Ａとがその表面での摩擦係数の違いに起因して施術者の素手が滑りやすくできるとともに、被施術者側に対面する表面３Ａでは滑りにくくできる。これにより、例えば、肌にオイルを塗布した施術箇所に当て布体１を載せてマッサージを行う際には、当て布体１が不用意に被施術者の肌表面で位置ずれすることがなく、しかも、施術者にとっては手を滑らせやすくできることで面圧を与えやすくしてマッサージ類型や力の掛け具合を種々選択することができるので、マッサージが単純なものとならないで効果的な施術にすることができる。
【００２３】
一方、繊維材料２，３の材質の特定に限らず、施術者側の表面２Ａと被施術者側の表面３Ａとの間での滑動抵抗を異ならせることも可能である。
【００２４】
図２は、この実施例を説明するための図であり、本実施例による当て布体１０は、施術側に対向する表面２０Ａを有した繊維材料２０が被施術者側に対向する表面３０Ａを有した繊維材料３０に対して経糸と緯糸との混合割合を異ならせて織り込まれている。
【００２５】
つまり、施術者側の繊維材料２０は、施術者の手が滑動する方向を長手方向とされており、その長手方向に相当する向きに経糸２０Ａ１が配置され、これと直角な方向に緯糸２０Ａ２が配置されている。そして、経糸２０Ａ１の編み込み密度を緯糸２０Ａ２の編み込み密度よりも高くしてある。これにより、経糸２０Ａ１の方が緯糸２０Ａ２よりも多く存在するので、施術者が手を滑動させた際に緯糸２０Ａ２から受ける抵抗を少なくすることができる。
【００２６】
このような繊維材料２０に対して被施術者側に対向する表面３０Ａを有した繊維材料３０は、施術者側に対向する繊維材料２０とは逆の関係で経糸３０Ａ１と緯糸３０Ａ２とが編み込まれている。なお、経糸と緯糸との編み込み密度は、布体としての形態をとどめることができればその差を大きくすることが摩擦抵抗の取得性において望ましい。
【００２７】
本実施例においては、施術者が手を滑動させる際の抵抗力の発生具合を繊維材料２，３あるいは２０，３０とで異ならせることができる。
これにより、図１に示すように、施術者側の表面２Ａでは手の滑動が容易となり、また、被施術者側の表面３Ａでは、施術者の手の滑動方向と直角な方向での接触抵抗が大きくなることにより滑動方向への不用意な移動が阻止されることになる。
【００２８】
なお、上記の滑動抵抗の変化に関しては、経糸および緯糸を同じ外形寸法とするのでなく、各表面での特性に応じて異ならせるようにすることも可能である。例えば、施術者側での繊維材料２０においては、経糸に対して緯糸を細くし、被施術者側での繊維材料３０においては、経糸に対して緯糸を太くして接触抵抗を異ならせる。
【００２９】
また、被施術者側、換言すれば、オイルなどの低摩擦傾向部材が塗布される側の表面は、繊維の編み込みにより構成するだけでなく、例えば、羅紗仕上げなどの様に表面の仕上げ状態を偏向することによって摩擦抵抗を異ならせるようにすることも可能である。
【００３０】
以上のような実施例によれば、施術者側に対向する表面では施術者の手あるいは手袋などとの間での摩擦抵抗が軽減され、被施術者側に対向する表面では被施術者の肌などとの間での摩擦抵抗が施術者側のそれよりも高められる関係となる。これにより、被施術者の肌にオイルなどの低摩擦傾向となる材料を塗布したような場合でも、施術者が手を滑らせた場合に当て布体が不用意にずれてしまうようなことがなく、しかも、ずれないことで施術者の手を滑らせる指圧などとは違うマッサージの形態を実現してマッサージの多類化が可能となる。
【図面の簡単な説明】
【００３１】
【図１】本発明実施例による当て布体の構成を説明するための模式図である。
【図２】図１に示した当て布体の別実施例を説明するための模式図である。
【符号の説明】
【００３２】
１，１０  当て布体
２，２０  繊維材料
２Ａ  施術者側に対向する表面
３，３０  繊維材料
３Ａ  被施術者側に対向する表面
２０Ａ１，３０Ａ１  経糸
２０Ａ２，３０Ａ２  緯糸
【図１】
2007125301.tif 000003
【図２】
2007125301.tif 000004